(57)【要約】【課題】硬い金属製打球面を有するアイアンクラブで打球しても破れにくく、そのまま数回の使用ができるようにしたゴルフクラブ練習用チェックシートを提供する。  また、簡単、容易、安価に製作でき、クラブの打球面から剥離後も保管性のよいゴルフクラブ練習用チェックシートを提供する。【解決手段】感圧マーキングシート１０の裏面に、表面に強粘着剤２０１を塗布し、裏面に再剥離性粘着剤２０２を塗布したポリエステルフィルム２０の前記表面を貼着し、前記裏面に剥離シート３０を貼着したゴルフクラブ練習用チェックシートであって、前記ポリエステルフィルム２０の厚みが、２０ミクロン〜４０ミクロンに形成されると共に、前記ポリエステルフィルム２０の表裏面が、微細粗面に形成されたもの。【選択図】        図２
2008136699.tif 000002
【特許請求の範囲】
【請求項１】
感圧マーキングシートの裏面に、表面に強粘着剤を塗布し、裏面に再剥離性粘着剤を塗布したポリエステルフィルムの前記表面を貼着し、前記裏面に剥離シートを貼着したゴルフクラブ練習用チェックシートであって、前記ポリエステルフィルムの厚みが、２０ミクロン〜４０ミクロンに形成されると共に、前記ポリエステルフィルムの表裏面が微細凹凸面に形成されていることを特徴とするゴルフクラブ練習用チェックシート。
【発明の詳細な説明】
【技術分野】
【０００１】
本発明は、ゴルフクラブの打球面に剥離可能に貼着して打者の打球をチェックできるようにしたゴルフクラブ練習用チェックシートに関する。
【背景技術】
【０００２】
ゴルフクラブの打球面に剥離可能に貼着させて打者の打球をチェックできるようにした従来のゴルフクラブ練習用チェックシートは、特にアイアンクラブの打球面に使用すると、破れやすい欠点があり、打球のチェックやチェックシートの保存に困難を生ずる場合が多かった。本発明者は、打球面が硬い金属製のアイアンクラブでも破れにくく、数回の使用が可能なゴルフクラブ練習用チェックシートを開発した。
【特許文献１】特開２０００−２２５２２５号公報
【発明の開示】
【発明が解決しようとする課題】
【０００３】
本発明は、硬い金属製打球面を有するアイアンクラブで打球しても破れにくく、そのまま数回の使用ができるようにしたゴルフクラブ練習用チェックシートを提供するものである。
また、本発明は、簡単、容易、安価に製作でき、クラブの打球面から剥離後も保管性のよいゴルフクラブ練習用チェックシートを提供するものである。
【課題を解決するための手段】
【０００４】
本発明ゴルフクラブ練習用チェックシートは、上記課題を達成するため、図示するように、感圧マーキングシート１０の裏面に、表面に強粘着剤２０１を塗布し、裏面に再剥離性粘着剤２０２を塗布したポリエステルフィルム２０の前記表面を貼着し、前記裏面に剥離シート３０を貼着したゴルフクラブ練習用チェックシートであって、前記ポリエステルフィルム２０の厚みを、２０ミクロン〜４０ミクロンに形成されると共に、前記ポリエステルフィルムの表裏面を、微細凹凸面に形成したものである。
本発明において、感圧マーキングシートは、感圧複写シートともいわれ、原シートの表面に顕色剤入りカプセルを塗布し、筆圧、印字圧等の加圧によりカプセルを押圧して発色させる公知のものが使用される。
ポリエステルフィルムは、ポリエチレンテレフタレートフィルム等が使用され、表面にアクリル樹脂系等の強粘着剤を塗布し、裏面にアクリル樹脂系等の再剥離性弱粘着剤が塗布されたものである。
また、ポリエステルフィルムは、感圧マーキングシートの発色性を強化するためと、表裏面に粘着剤を充分に塗布するため、表裏面を微細凹凸面に形成し、そのためサントブラスト法、コーティング法等によるトレーシングフィルム製作等の公知の加工法が行われる。
さらに、ポリエステルフィルムは、感圧性、製作上の作業性及び柔軟性のため厚みは２０ミクロン〜４０ミクロンの範囲が使用される。
剥離シートは、グラシン紙等の公知のものが使用される。
【発明の効果】
【０００５】
本発明ゴルフクラブ練習用チェックシートは、感圧マーキングシートの裏面に、薄厚のポリエステルフィルムが貼着されているので、破れにくく、特にアイアンクラブの打球に好適となった。
また、本発明ゴルフクラブ練習用チェックシートは、薄厚で、微細凹凸面を表裏面に形成したポリエステルフィルムを感圧マーキングシートの裏面に貼着しているので、凹凸面による感圧マーキングシートの発色性がよく打球面のチェック能力が向上した。
また、本発明ゴルフクラブ練習用チェックシートは、ポリエステルフィルムの表裏面に凹凸面を形成しているので、表裏面に粘着剤を塗布しているに拘わらず、粘着剤層によるゴルフボールの打点の移動を防止すると共に、ゴルフボールの打球力による発色性を減退させない。
また、本発明ゴルフクラブ練習用チェックシートは、ゴルフクラブの打球面から剥離後も保管性がよく長期の保存に耐えることができる。
さらに、本発明ゴルフクラブ練習用チェックシートは、感圧マーキングシートの裏面にポリエステルフィルムを貼着する製造作業が薄厚フィルムのため、簡単容易かつ安価に仕上げることができる。
【発明を実施するための最良の形態】
【０００６】
請求項１の発明は、実施例１と実施例２に記載されている。
【実施例１】
【０００７】
本発明ゴルフクラブ練習用チェックシートの実施例１が図１及び図２に示されている。本発明実施例１のゴルフクラブ練習用チェックシートは、図２の拡大断面図に示すように、感圧マーキング紙１０と強粘着剤層２０１とポリエステルフィルム２０と弱粘着剤２０２と剥離シート３０との積層物からなっている。
感圧マーキング紙１０は、顕色剤入りカプセル層を表面に塗布した白紙製である。
ポリエステルフィルム２０は、厚み２５ミクロンの表裏面が微細凹凸面に形成されたフィルムで、表面にアクリル樹脂系強粘着層２０１が塗布され、裏面にアクリル樹脂系再剥離性粘着層２０２が塗布され、公知の剥離紙３０が接着されている。
従って、本発明チェックシートを剥離紙３０を剥離して再剥離性粘着面２０２をウッドクラブの打球面に粘着してボールを打球すれば、クラブの打球面に当ったボールの打球点は、感圧マーキング紙１０の表面に印画されてクラブの打球面のどの位置にボールが当たったかが明確に表示されることになり、本発明チェックシートをクラブ打球面から剥離すればチェックシートとして長期保存できる。
【実施例２】
【０００８】
本発明ゴルフクラブ練習用チェックシートの実施例２が図３及び図４に示されている。本発明実施例２のゴルフクラブ練習用チェックシートは、図４に示すように、感圧マーキング紙１０Ｂと強粘着剤層２０１Ｂとポリエステルフィルム２０Ｂと弱粘着剤２０２Ｂと剥離紙３０Ｂとの積層物からなっている。
ポリエステルフィルム２０Ｂの厚みが３８ミクロンであること以外は実施例１と同じ構成であるので、詳細説明は省略する。
従って、本発明チェックシートを剥離紙３０Ｂを剥離してアイアンクラブの打球面に粘着してボールを打球すれば、実施例１と同様な作用効果を発揮できる。
【産業上の利用可能性】
【０００９】
本発明のゴルフクラブ練習用チェックシートは、製作容易で安価に量産できる。
【図面の簡単な説明】
【００１０】
【図１】本発明の実施例を示す平面図である。
【図２】図１のＸ−Ｘ線拡大断面図である。
【図３】本発明の別の実施例を示す平面図である。
【図４】図３のＹ−Ｙ線拡大断面図である。
【符号の説明】
【００１１】
１０、１０Ｂ        感圧マーキングシート
２０、２０Ｂ        ポリエステルフィルム
２０１、２０１Ｂ    強粘着剤層
２０２、２０２Ｂ    再剥離性弱粘着剤層
３０、３０Ｂ        剥離シート
【図１】
2008136699.tif 000003
【図２】
2008136699.tif 000004
【図３】
2008136699.tif 000005
【図４】
2008136699.tif 000006